(57)【要約】【課題】天板の下側に、着座姿勢におけるユーザの下肢が配置される空間を確保しながら、電子機器が収容される電子機器収容部を好適に形成できる机型電子装置を提供する。【解決手段】天板２上で作業を行うようになっている、机型電子装置１であって、天板２の下側に、電子機器８０を収容した電子機器収容部３を、有しており、電子機器収容部３の前壁１４が、前方から後方に且つ下向きに、傾斜して延びていることを特徴とする。【選択図】図１
2016085630.tif 000002
【特許請求の範囲】
【請求項１】
天板上で作業を行うようになっている、机型電子装置であって、
前記天板の下側に、電子機器を収容した電子機器収容部を、有しており、
前記電子機器収容部の前壁が、前方から後方に且つ下向きに、傾斜して延びていることを特徴とする机型電子装置。
【請求項２】
前記前壁は、前記天板の前部を支持する前部フレームから、延びている、
請求項１に記載の机型電子装置。
【請求項３】
前記天板を支持する基台を備えており、
前記基台は、前記前部フレームと、前記天板を支持する左右一対の脚部と、前記前壁の下縁に連なって後方へ延びる底壁と、前記底壁の後部から上方へ延びる後壁と、を有しており、
前記電子機器収容部は、前記前壁と、前記底壁と、前記後壁と、前記左右一対の脚部と、前記天板と、によって囲まれて形成されている、
請求項２に記載の机型電子装置。
【請求項４】
前記電子機器収容部は、前記前壁に設けられた開閉扉を介してアクセス可能なアクセス領域と、アクセス不可能な非アクセス領域と、に分割されており、
前記アクセス領域には、ユーザが直接に操作する前記電子機器が収容されており、
前記非アクセス領域には、ユーザが直接に操作しない前記電子機器が収容されている、
請求項３に記載の机型電子装置。
【請求項５】
前記天板は、前記アクセス領域側から前記基台に締結手段によって着脱自在に固定されている、
請求項４に記載の机型電子装置。
【請求項６】
前記電子機器収容部は、内部を上下に仕切る棚板を、１つ以上有している、
請求項３〜５のいずれか１つに記載の机型電子装置。
【請求項７】
前記天板は、少なくとも上面が反射可能な面性状を呈している、
請求項３〜６のいずれか１つに記載の机型電子装置。
【請求項８】
前記前部フレームには、外部機器を接続するための接続部が設けられている、
請求項３〜７のいずれか１つに記載の机型電子装置。
【請求項９】
前記電子機器収容部は第１の電子機器収容部とされ、
前記脚部の内側には、第２の電子機器収容部が設けられており、
前記第２の電子機器収容部には、前記電子機器が配置されており、及び／又は前記第１の電子機器収容部からの配線が配索されている、
請求項３〜８のいずれか１つに記載の机型電子装置。
【請求項１０】
前記左右一対の前記脚部はそれぞれ、幅狭に形成された前部から後方に進むにつれて内側に拡幅して延びる拡幅脚部と、前記拡幅脚部の後部から後方へ延びる後脚部と、を有している、
請求項３に記載の机型電子装置。
【請求項１１】
前記天板の上方に位置しており、前記電子機器に接続された表示器と、前記表示器を支持するための支持部と、をさらに備えている、
請求項１〜１０のいずれか１つに記載の机型電子装置。
【発明の詳細な説明】
【技術分野】
【０００１】
本発明は、設備等に接続された机型電子装置に関し、特に、電子機器が収容される電子機器収容部を、天板の下側に備えた、机型電子装置に関する。
【背景技術】
【０００２】
従来から、ボイラ等の設備に接続されて、該設備の運転状態を表示し、又は該設備の運転データの計測及び記録を行うための、管理装置としての電子装置が知られている。図１２には、天板１０２と、天板１０２の下側に設けられた電子機器収容部１０３と、を有する机型電子装置１００が示されている。天板１０２上には、表示装置としてのディスプレイ１０４と、操作手段としてのキーボード１０５及びマウス１０６が配置されている。電子機器収容部１０３には、ＣＰＵ、メモリ、記憶装置等を有するパソコン本体の他、設備との通信を行う通信機器、パソコン本体その他の電子機器に電源を供給する電源装置等、様々な電子機器（図示しない）が収容されている。
【発明の概要】
【発明が解決しようとする課題】
【０００３】
しかしながら、従来の机型電子装置１００は、机型に構成されていながら、ユーザが適正な着座姿勢で操作できるものではなかった。具体的には、電子機器収容部１０３は、天板１０２の略全面から下側に延在するように設けられているために、ユーザが着座姿勢において下肢を、天板１０２の下側に位置させることができなかった。言い換えれば、着座姿勢におけるユーザの下肢が位置する下肢配置空間と、電子機器収容部１０３と、が天板１０２の下側において競合することになる。この結果、ユーザは、着座姿勢において、下肢を、電子機器収容部１０３を避けて横向きに位置させたり、又は電子機器収容部１０３から離れた位置に位置させたりすることを要するので、従来の机型電子装置１００は、適正な着座姿勢で操作できるものではなかった。
【０００４】
なお、天板１０２上に電子機器を配置することにより、天板１０２の下側に下肢配置空間を確保することも考えられる。しかしながら、この場合、天板１０２上に複数の電子機器が配置されることになるため、机型電子装置１００の重心位置が高くなるので安定性を損ないやすく、また、天板１０２上に様々な電子機器が配置されて煩雑となりやすく、机型電子装置１００の美観が損なわれる。
【０００５】
本発明は上記課題に鑑みてなされたものであり、天板の下側に、着座姿勢におけるユーザの下肢が配置される空間を確保しながら、電子機器が収容される電子機器収容部を好適に形成できる机型電子装置を提供することを目的とする。
【課題を解決するための手段】
【０００６】
本発明は、天板上で作業を行うようになっている、机型電子装置であって、前記天板の下側に、電子機器を収容した電子機器収容部を、有しており、前記電子機器収容部の前壁が、前方から後方に且つ下向きに、傾斜して延びていることを特徴とする。
【０００７】
本構成によれば、電子機器収容部の前壁が、前方から後方に且つ下向きに傾斜して延びているので、前壁の前方において、下肢配置空間を下拡がりに形成できるとともに、前壁の後方において、電子機器収容部を上拡がりに形成できる。下肢配置空間を下拡がりに形成することで、着座姿勢におけるユーザの下肢を同空間に位置させやすい。また、電子機器収容部を上拡がりに形成することで、収容スペースを確保しやすい。したがって、天板の下側に、前壁を挟んで、前方に下肢配置空間を確保しながら、後方に電子機器収容部を好適に形成できる。
【０００８】
前記前壁は、前記天板の前部を支持する前部フレームから、延びている、ことが好ましい。
【０００９】
本構成によれば、前壁がより前方に位置させることができるので、これにより、収容部の容積を拡大できる。
【００１０】
前記天板を支持する基台を備えており、前記基台は、前記前部フレームと、前記天板を支持する左右一対の脚部と、前記前壁の下縁に連なって後方へ延びる底壁と、前記底壁の後部から上方へ延びる後壁と、を有しており、前記電子機器収容部は、前記前壁と、前記底壁と、前記後壁と、前記左右一対の脚部と、前記天板と、によって囲まれて形成されている、ことが好ましい。
【００１１】
本構成によれば、電子機器収容部の内側を外部から遮蔽することができる。これにより、電子機器収容部の内側に配置された電子機器にユーザが触れることを防止して、ユーザを感電から防護できる。
【００１２】
前記電子機器収容部は、前記前壁に設けられた開閉扉を介してアクセス可能なアクセス領域と、アクセス不可能な非アクセス領域と、に分割されており、前記アクセス領域には、ユーザが直接に操作する前記電子機器が収容されており、前記非アクセス領域には、ユーザが直接に操作しない前記電子機器が収容されている、ことが好ましい。
【００１３】
本構成によれば、ユーザが直接に操作する電子機器へのアクセスを可能としながらも、ユーザが直接に操作しない電子機器へのアクセスを制限することできる。これにより、非アクセス領域に配置された電子機器に触れることを防止して、ユーザを感電から防護できる。
【００１４】
前記天板は、前記アクセス領域側から前記基台に締結手段によって着脱自在に固定されている、ことが好ましい。
【００１５】
本構成によれば、天板を取り外すことで、電子機器収容部に上方からアクセスできるようになる。これにより、電子機器収容部に配置された電子機器の交換、脱着、清掃等のメンテナンス作業を上方から行えるので、メンテナンス性を向上できる。しかも、天板はアクセス領域側、すなわち天板の下側から締結部材で固定されているので、天板を容易に取り外すことができないように構成されている。これにより、ユーザによる天板の着脱を抑制してユーザを感電から防護する一方で、メンテナンス時には天板を着脱できるようになっている。
【００１６】
前記電子機器収容部は、内部を上下に仕切る棚板を、１つ以上有している、ことが好ましい。
【００１７】
本構成によれば、電子機器を収容部に上下に多段に配置できるので、収容部への電子機器の配置効率を向上できる。
【００１８】
前記天板は、少なくとも上面が反射可能な面性状を呈している、ことが好ましい。
【００１９】
本構成によれば、マウスパッドを使用することなく、天板上で直接に光学式マウスを使用できる。
【００２０】
前記前部フレームには、外部機器を接続するための接続部が設けられている、ことが好ましい。
【００２１】
本構成によれば、接続部は、ユーザに対向する机型電子装置の前側の上部に位置することになる。これにより、接続部へのアクセスを容易にできるとともに、外部機器を、接続部に近接させて天板上に配置できるので、外部機器を容易に接続部に接続できる。
【００２２】
前記電子機器収容部は第１の電子機器収容部とされ、前記脚部の内側には、第２の電子機器収容部が設けられており、前記第２の電子機器収容部には、前記電子機器が配置されており、及び／又は前記第１の電子機器収容部からの配線が配索されている、ことが好ましい。
【００２３】
本構成によれば、第２の電子機器収容部により電子機器の収容スペースをさらに拡大できる。さらに、配線を脚部内に配索することで、外観上、配線を目立ちにくくすることができ、机型電子装置の外観をスッキリさせることができる。
【００２４】
前記左右一対の前記脚部はそれぞれ、幅狭に形成された前部から後方に進むにつれて内側に拡幅して延びる拡幅脚部と、前記拡幅脚部の後部から後方へ延びる後脚部と、を有している、ことが好ましい。
【００２５】
本構成によれば、拡幅脚部によって天板の下側の空間を前拡がりに形成できるので、ユーザの下肢を左右一対の脚部の間にアクセスさせて位置させやすい。しかも、拡幅脚部は前部が幅狭に形成されているので、脚部を視覚的に細く見せやすく脚部の外観をスッキリさせることができる。また、後脚部は、拡幅脚部の後部から後方に延びているので幅広に形成でき、これにより第２の電子機器収容部に電子機器又は配線を配索するスペースを形成しやすい。
【００２６】
前記天板の上方に位置しており、前記電子機器に接続された表示器と、前記表示器を支持するための支持部と、を備えている、ことが好ましい。
【００２７】
本構成によれば、表示器を天板の上方で支持できるので、表示器の視認性を向上させながらも、表示器の天板からの落下を防止できる。
【発明の効果】
【００２８】
本発明に係る机型電子装置によれば、天板の下側に、下肢配置空間を確保しながら、電子機器が収容される電子機器収容部を好適に形成できる。これにより、ユーザが適切な姿勢で机型電子装置を操作することを可能とする。
【図面の簡単な説明】
【００２９】
【図１】本発明の一実施形態に係る机型電子装置を左前方から見た斜視図である。
【図２】図１の机型電子装置を右前方から見た斜視図である。
【図３】天板を取り外した状態を上方から見た斜視図である。
【図４】図１の机型電子装置の右側面図である。
【図５】図１の机型電子装置の正面図である。
【図６】図１の机型電子装置の平面図である。
【図７】図１の机型電子装置の左側面図である。
【図８】開閉扉を開閉した状態を示す正面図である。
【図９】図１の机型電子装置の底面図である。
【図１０】図１の机型電子装置の背面図である。
【図１１Ａ】他の実施形態に係る机型電子装置を示す斜視図である。
【図１１Ｂ】他の実施形態に係る机型電子装置を示す斜視図である。
【図１１Ｃ】他の実施形態に係る机型電子装置を示す斜視図である。
【図１２】従来の机型電子装置を示す斜視図である。
【発明を実施するための形態】
【００３０】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００３１】
本発明の一実施形態に係る机型電子装置１は、複数台の設備（図示しない）を管理する集中管理装置であり、本実施形態においては、複数台のボイラを集中管理している。具体的には、机型電子装置１は、複数台のボイラの運転データを自動的に計測して記録するとともに、異常時においては、警告音及び／又は警告表示等により異常を報知する機能を有している。
【００３２】
図１、図２には、机型電子装置１を前方から見た斜視図が示されており、図１において左手前側（図２において右手前側）が、ユーザが着席する側とされている。以下、ユーザが着席する側を机型電子装置１の前方とし、その反対側を後方とし、後方から前方を見たときの左右方向を机型電子装置１の左右方向として、以下説明する。
【００３３】
図１、図２に示すように、机型電子装置１は、天板２と、天板２を支持する基台１０と、天板２の下側に設けられた電子機器収容部３と、天板２上に載置された操作手段４と、ボイラの各種運転データ等を表示するディスプレイ５と、を備えている。電子機器収容部３には、複数台のボイラを集中管理するための様々な電子機器が配置されている。操作手段４は、例えばキーボード４Ａ、マウス４Ｂから構成されている。
【００３４】
天板２は、下面側（すなわち、電子機器収容部３側）から、締結手段（図示しない）によって基台１０に着脱自在に固定されており、締結手段が外観に現れておらず容易に取り外すことができないようになっている。締結手段は着脱自在であればよく、例えばねじ締結である。また、天板２は、少なくとも上面２ａが反射可能な面性状（例えば、梨地状）を呈しており、上面２ａにおいて、マウスパッドを使用することなく、操作手段４としての光学式マウス４Ｂを使用できるようになっている。
【００３５】
基台１０は、左右一対の脚部１３，１３と、左右一対の脚部１３，１３を左右に接続する前部フレーム１１及び後部フレーム１２（図３参照）と、を備えている。前部フレーム１１は、天板２の前縁部２ｂに沿って配設されており、後部フレーム１２は、天板２の後縁部２ｃに沿って配設されている。前部フレーム１１と後部フレーム１２と左右一対の脚部１３，１３とで天板２を支持する支持面１０ａ（図３参照）が形成されている。
【００３６】
基台１０は、左右一対の脚部１３，１３の間に、前部フレーム１１から延びる前壁１４と、前壁１４の下縁から後方へ延びる底壁１５（図９参照）と、底壁１５の後部から後部フレーム１２の後部へ上下方向に延びる後壁１６（図１０参照）と、をさらに備え、これらの部材１３〜１６と天板２とによって電子機器収容部３が構成されている。具体的には、電子機器収容部３は、天板２と底壁１５とによって上下が囲まれており、左右一対の脚部１３，１３によって左右が囲まれており、前壁１４と後壁１６とによって前後が囲まれており、外部から遮蔽されている。これにより、電子機器収容部３に配置された電子機器８０（図３参照）にユーザが触れることを防止して、ユーザを感電から防護できる。
【００３７】
また、前部フレーム１１には、外部機器を接続するための接続部１１ａが設けられている。接続部１１ａとしては、例えばＵＳＢ（Universal Serial Bus）ポートを採用できる。接続部１１ａは、机型電子装置１の前側の上部に位置しており、ユーザに近い位置に、ユーザに対向して配置されている。これにより、接続部１１ａへのアクセスを容易にできる。また、接続部１１ａは、天板２の近傍に配置されているので、外部機器（図示しない）を接続部１１ａに近接させて天板２上に配置させやすく、外部機器を容易に接続部１１ａに接続できる。
【００３８】
図３に天板２を基台１０から取り外した状態を上方から見た斜視図を示している。図３に示すように、電子機器収容部３には、様々な電子機器８０が配置されており、例えば、右側の領域には、無停電電源装置８１が配置されており、左側の領域には、例えば、ＣＰＵとメモリと記憶装置とを有するパソコン本体８２（図５参照）、スピーカ８３、電源装置８４、通信ボード８５、ボイラ及び外部機器と信号を送受信する入出力端子台８６等の様々な電子機器が配置されている。
【００３９】
天板２を基台１０から取り外すことで、電子機器収容部３に上方からアクセスできるようになる。しかも、天板２は、下側から締結部材で固定されているので、天板２を容易に取り外すことができないように構成されている。これにより、ユーザによる天板２の着脱を抑制して感電を防止できる一方で、メンテナンス時には天板２を着脱できるようになっている。
【００４０】
図４は、机型電子装置１の右側面図であり、着座姿勢にあるユーザの下肢を破線で示している。図４に示すように、前壁１４は、前方から後方に且つ下向きに傾斜して延びている。これにより、前壁１４の前方において、ユーザが下肢を位置させる下肢配置空間Ｓ１を下拡がりに形成できるとともに、前壁１４の後方において、電子機器収容部３を上拡がりに形成できる。下肢配置空間Ｓ１を下拡がりに形成することで、該空間Ｓ１に着座姿勢におけるユーザの下肢（膝部分Ｘ）を位置させやすい。また、電子機器収容部３を上拡がりに形成することで、電子機器８０の収容スペースを確保しやすい。
【００４１】
側面視における前壁１４の前後方向に対する傾斜角度Ｄは、３０°〜５０°の範囲に設定されている。傾斜角度Ｄが３０°よりも小さいと、電子機器収容部３が小さくなるので、電子機器８０を収容する収容スペースが不足することになる。傾斜角度Ｄが５０°よりも大きいと、ユーザの下肢を位置させる空間が小さくなるので、ユーザが下肢を天板２の下側に位置させることができない。より好ましくは、傾斜角度Ｄは、３５°〜４０°の範囲に設定されている。これにより、前壁１４によって、天板２の下側の空間を、下肢配置空間Ｓ１と電子機器収容部３とに好適に振り分けることができる。
【００４２】
また、言い換えれば、例えば、天板２の高さ位置を汎用的な机の高さと同じである７００ｍｍとした場合、机型電子装置１から２ｍ離れたユーザが立って見たときに、前壁１４が見えないように傾斜角度Ｄの最小角度Ｄｍｉｎを設定し、汎用的なイス（例えばオフィスチェア）に着座したユーザの膝部分Ｘが前壁１４に当たらないように傾斜角度Ｄの最大角度Ｄｍａｘを設定すればよい。すなわち、傾斜角度Ｄを、上記で求まる最少角度Ｄｍｉｎと最大角度Ｄｍａｘとの範囲内に設定してもよい。
【００４３】
したがって、前壁１４を前方から後方に且つ下向きに所定の角度で傾斜させることで、天板２の下側に、前壁１４を挟んで、下肢配置空間Ｓ１を確保しながら、後方に電子機器収容部３を好適に形成できる。また、前壁１４は、前部フレーム１１から延びているので、前壁１４を机型電子装置１のより前方に位置させることができ、これにより、電子機器収容部３の収容スペースをより拡大できる。
【００４４】
図５は机型電子装置１の正面図であり、図６は同平面図であり、図７は同左側面図である。まず、図５を参照して、電子機器収容部３には、底壁１５から天板２にわたって延在する仕切り壁１９が設けられている。図６を併せて参照して、仕切り壁１９は前壁１４から後壁１６にわたって前後方向に延びている。すなわち、電子機器収容部３は、仕切り壁１９によって、右側に位置する右側電子機器収容部３０と、左側に位置する左側電子機器収容部５０と、に左右に分割されている。
【００４５】
また、前壁１４には、右側電子機器収容部３０に対向した位置に、開口部１４ａ（図８参照）と、開口部１４ａを開閉する開閉扉１４ｂとが設けられている。開閉扉１４ｂは下縁が前壁１４に回動自在に支持されている。図８に示すように、開閉扉１４ｂを下方に回動させることで、開口部１４ａを介して右側電子機器収容部３０にアクセス可能となる。このとき、仕切り壁１９が設けられているために、左側電子機器収容部５０（図５参照）にはアクセスできない。したがって、電子機器収容部３に仕切り壁１９を設けるとともに、前壁１４に開口部１４ａ及び開閉扉１４ｂを設けることで、右側電子機器収容部３０をアクセス可能領域に構成するとともに、左側電子機器収容部５０を非アクセス領域に構成できる。
【００４６】
右側電子機器収容部３０には、ユーザが直接に操作する電子機器８０が収容されており、左側電子機器収容部５０には、ユーザが直接に操作しない電子機器８０が収容されている。これにより、ユーザが直接に操作する電子機器８０へのアクセスを可能としながらも、ユーザが直接に操作しない電子機器８０へのアクセスを制限できる。これにより、非アクセス領域に配置された電子機器８０にユーザが触れることを防止して、ユーザを感電から防護できる。
【００４７】
また、右側電子機器収容部３０には、内部を上下に仕切る棚板３４及び棚板３５が設けられている。図４を併せて参照して、棚板３４及び棚板３５は、前壁１４から後壁１６にわたって設けられており、棚板３４は上側に配置され、棚板３５は下側に配置されている。天板２と棚板３４との間に右側第１収容部３１が形成され、棚板３４と棚板３５との間に右側第２収容部３２が形成され、棚板３５と底壁１５との間に右側第３収容部３３が形成されている。
【００４８】
右側第１収容部３１には、例えば無停電電源装置８１が配置されており、開閉扉１４ｂを開くことで、開口部１４ａを通して無停電電源装置８１の前面に設けられた操作部８１ａにアクセス可能とされている。また、上述したように、図３を参照して、天板２を取り外すことで右側第１収容部３１は、上方から容易にアクセスできるようになり、無停電電源装置８１のメンテナンス性を向上できる。
【００４９】
図８に示すように、右側第２収容部３２には、開口部１４ａを介して、操作手段４（例えばキーボード４Ａ）を取り出し可能に収容できるようになっている。右側第３収容部３３には、前部に縦壁３６が設けられており、開口部１４ａを通しても第３収容部３３にアクセス不可能に構成されている。図５に示すように、第３収容部３３には、パソコン本体用の電源装置８７が配置されており、パソコン本体８２の電源を入切するための電源スイッチ８７ａ（図８参照）が縦壁３６（図８参照）に設けられている。
【００５０】
図５に示すように、左側電子機器収容部５０には、内部を上下に仕切る棚板５４が設けられている。棚板５４は、仕切り壁１９から左方向へ所定長さにわたって設けられており、左側電子機器収容部５０を左右全幅にわたって上下に仕切るものではない。図７を併せて参照して、棚板５４は、前壁１４から後壁１６にわたって設けられている。すなわち、天板２と棚板５４との間に左側第１収容部５１が形成され、棚板５４と底壁１５との間に左側第２収容部５２が形成され、天板２と底壁１５との間であって棚板５４の左側に左側第３収容部５３が形成されている。
【００５１】
図３に示すように、左側第１収容部５１には、スピーカ８３、電源装置８４、通信ボード８５、入出力端子台８６等様々な電子機器８０が配置されている。左側第３収容部５３には、左側第１収容部５１及び左側第２収容部５２に収容できないような、所定高さ以上の電子機器８０が収容されている。図５に示されるように左側第２収容部５２には、パソコン本体８２が配置されている。
【００５２】
右側電子機器収容部３０及び左側電子機器収容部５０に棚板３４，３５，５４を設けることで、右側電子機器収容部３０及び左側電子機器収容部５０を上下に仕切ることができる。これにより、電子機器８０を、電子機器収容部３おいて上下に多段に配置できるので、電子機器８０を電子機器収容部３に効率的に配置できる。
【００５３】
図９は、机型電子装置１の底面図である。図９に示すように、左右一対の脚部１３，１３はそれぞれ、幅狭に形成された前部１３ａから後方に進むにつれて内側に拡幅して延びる拡幅脚部２１と、前記拡幅脚部２１の後部から後方へ延びる後脚部２２と、を有している。また、脚部１３の下部には、前部に接地部２３が設けられており、後部にキャスター２４が設けられており、接地部２３とキャスター２４とで設置場所に載置されている。接地部２３を持ち上げてキャスター２４を転動させることで、机型電子装置１を容易に移動できるようになっている。
【００５４】
脚部１３は中空に形成されており、内部に第２の電子機器収容部６が形成されている。電子機器収容部６には、電子機器が配置されており、又は、図３に示されるように電子機器収容部３からの配線８８が配索されている。電子機器収容部３に加えて電子機器収容部６を設けることで、電子機器８０を収容するための収容スペースをさらに拡大できる。さらに、配線を電子機器収容部６内に配索することで、配線を外観上目立ちにくくでき、机型電子装置１の外観をスッキリさせることができる。
【００５５】
また、拡幅脚部２１によって天板２の下側の空間を前拡がりに形成できるので、ユーザの下肢を左右一対の脚部１３，１３の間にアクセスさせて位置させやすい。拡幅脚部２１は前部１３ａが幅狭に形成されているので、脚部１３を視覚的に細く見せやすく脚部１３の外観をスッキリさせることができる。さらに、後脚部２２は、拡幅脚部２１の後部から後方に延びているので幅広に形成でき、これにより内側に電子機器８０又は配線８８を配索する電子機器収容部６を形成しやすい。
【００５６】
図１０は、机型電子装置１の背面図である。図１０に示すように、後壁１６には、複数のスリット１６ａ…１６ａが形成されている。スリット１６ａは、ユーザの指先が通過しない大きさに形成されており、スリット１６ａを介して電子機器収容部３内の熱気が外部に放出されるようになっている。これにより、電子機器収容部３内の温度上昇を抑制している。
【００５７】
また、基台１０は、後部において天板２の上方へ延びるディスプレイ支持アーム１７（支持部）を、さらに備えている。ディスプレイ支持アーム１７は、先端部にディスプレイ取付部１７ａを有しており、ディスプレイ取付部１７ａにディスプレイ５（表示器）が取り付けられている。ディスプレイ５は、電子機器収容部３に収容された複数の電子機器に接続されており、例えば、電子機器により取得されたボイラの各種運転データを表示し、又はボイラに異常が発生した場合に異常表示をする機能を有している。
【００５８】
ディスプレイ５を天板２の上方で支持できるので、ディスプレイ５の視認性を向上させることができる。しかも、重量物であるディスプレイ５をディスプレイ支持アーム１７で支持できるので、ディスプレイ５の天板２からの落下を防止できる。
【００５９】
すなわち、本実施形態に係る机型電子装置１によれば、天板の下側に、着座姿勢におけるユーザの下肢が配置される空間を確保しながら、電子機器が収容される電子機器収容部を好適に形成できる。これにより、ユーザが適切な姿勢で机型電子装置を操作できる。
【００６０】
なお、上記の実施形態では、ボイラが異常状態にあるときに、ディスプレイ５に異常表示をすることでユーザに異常を報知しているが、これに加えて、報知手段７０をさらに設けてもよい。例えば、図１１Ａに示されるように、ディスプレイ支持アーム１７にポール７１を介して報知手段７０としてのランプ７０Ａをディスプレイ５の後方上部に設けてもよい。また、図１１Ｂに示されるようにディスプレイ５の上縁に沿って報知手段７０としての縦長のランプ７０Ｂを設けてもよい。また、図１１Ｃに示されるようにディスプレイ５の両側部に沿って報知手段７０としての縦長のランプ７０Ｃを設けてもよい。
【００６１】
また、上記の実施形態では、前壁１４を前部フレーム１１から延びるように構成したが、これに限らず、机型電子装置１の前部から延びるように構成すればよく、例えば、天板２の前縁部２ｂから延びるように構成してもよい。
【００６２】
なお、本発明は、以上の実施形態に示すものに限らず、特許請求の範囲に記載された本発明の精神及び範囲から逸脱することなく、各種変形及び変更を行うことも可能である。
【産業上の利用可能性】
【００６３】
以上のように、本発明に係る机型電子装置によれば、ユーザが適切な姿勢で机型電子装置を操作できるので、この種の製造技術分野において好適に実施される可能性がある。
【符号の説明】
【００６４】
１  机型電子装置
２  天板
３  電子機器収容部
４  操作手段
５  ディスプレイ
１０  基台
１１  前部フレーム
１２  後部フレーム
１３  脚部
１４  前壁
１５  底壁
１６  後壁
１７  ディスプレイ支持アーム
１９  仕切り壁
２１  拡幅脚部
２２  後脚部
３０  右側電子機器収容部
３１〜３３  右側第１〜第３収容部
３４、３５  棚板
３６  縦壁
５０  左側電子機器収容部
５１，５１  左側第１，第２収容部
５３  棚板
７０  報知手段
８０  電子機器
８８  配線
【図１】
2016085630.tif 000003
【図２】
2016085630.tif 000004
【図３】
2016085630.tif 000005
【図４】
2016085630.tif 000006
【図５】
2016085630.tif 000007
【図６】
2016085630.tif 000008
【図７】
2016085630.tif 000009
【図８】
2016085630.tif 000010
【図９】
2016085630.tif 000011
【図１０】
2016085630.tif 000012
【図１１Ａ】
2016085630.tif 000013
【図１１Ｂ】
2016085630.tif 000014
【図１１Ｃ】
2016085630.tif 000015
【図１２】
2016085630.tif 000016